【手続補正書】
【提出日】平成20年4月3日(2008.4.3)
【手続補正１】
【補正対象書類名】明細書
【補正対象項目名】特許請求の範囲
【補正方法】変更
【補正の内容】
【特許請求の範囲】
【請求項１】  加熱源としてのヒータを内側に内蔵し少なくとも１層の弾性層を有する加熱部材としての加熱ロールと、ヒータを内側に設けた外部加熱ロールが表面に当接される少なくとも１層の弾性層を有する加圧部材としての加圧ロールから構成される熱定着装置を備える画像形成装置において、前記加圧ロールの弾性層の熱伝導率を前記加熱ロールの弾性層の熱伝導率よりも小さくしたことを特徴とする画像形成装置。
【請求項２】  前記加熱ロールの製品硬度を前記加圧ロールの製品硬度以下にすることを特徴とする請求項１に記載の画像形成装置。
【請求項３】  前記加熱ロールの弾性層をソリッドシリコンゴムで構成し、前記加圧ロールの弾性層をスポンジシリコンゴムで構成し、前記加圧ロール表層にはフッ素樹脂チューブが被覆されていることを特徴とする請求項１又は２に記載の画像形成装置。
【請求項４】  基材上にトナー離型層を有する加熱部材及び加圧部材から成り、少なくとも１つの加熱源としてのヒータを内部に有する熱定着装置を備える画像形成装置において、未定着トナー像と接する前記加熱部材は芯金上に弾性層を有し弾性層上にフッ素樹脂をコーティングしたものであり、前記加圧部材は基材上に弾性層を介してもしくは介さずにフッ素樹脂チューブを被覆したものであることを特徴とする画像形成装置。
【請求項５】  芯金上に弾性層を有し弾性層上にトナー離型層を有する加熱部材としての加熱ロール及び加圧部材としての加圧ロールから成り、少なくとも１つの加熱源としてのヒータを有する熱定着装置を備える画像形成装置において、前記加熱ロールは芯金上にシリコンゴムを形成した後にフッ素樹脂をコーティングしたものであり、前記加圧ロールは芯金上にシリコンゴムを、さらにシリコンゴム上にフッ素樹脂チューブを被覆したものであることを特徴とする画像形成装置。
【請求項６】  前記加熱ロールと前記加圧ロールの表面歪み量がほぼ同等であることを特徴とする請求項５に記載の画像形成装置。
【請求項７】  芯金上に弾性層を有し弾性層上にトナー離型層を有する加熱部材としての加熱ロールと基材上にトナー離型層を有する加圧部材としての加圧ベルトから成り、少なくとも１つの加熱源としてのヒータを有する熱定着装置を備える画像形成装置において、前記加熱ロールは芯金上にシリコンゴムを形成した後にフッ素樹脂をコーティングしたものであり、前記加圧ベルトは基材上にフッ素樹脂チューブを被覆したものであることを特徴とする画像形成装置。
【請求項８】  基材上に弾性層を有し弾性層上にトナー離型層を有する加熱部材としての加熱ベルトと芯金上に弾性層を有し弾性層上にトナー離型層を有する加圧部材としての加圧ロールから成り、少なくとも１つの加熱源としてのヒータを有する熱定着装置を備える画像形成装置において、前記加熱ベルトは基材上にシリコンゴムを形成した後にフッ素樹脂をコーティングしたものであり、前記加圧ロールは芯金上にシリコンゴムを、さらにシリコンゴム上にフッ素樹脂チューブを被覆したものであることを特徴とする画像形成装置。
【請求項９】  ワックス入りのトナーを使用し、前記加熱ロール又は前記加熱ベルトや前記加圧ロール又は加圧ベルトへ離型剤を塗布しないことを特徴とする請求項５〜８の何れか１項に記載の画像形成装置。
【請求項１０】  少なくとも前記加熱ロール又は加熱ベルトの表面温度を検知する温度センサは、画像形成領域の前記加熱ロール又は前記加熱ベルト表面に非接触に設けられるか画像形成領域外の前記加熱ロールまたは前記加熱ベルト表面に接触して設けられ、転写材を加熱ロール又は加熱ベルトから分離案内する部材が加熱ロール又は加熱ベルト表面に非接触に設けられていることを特徴とする請求項５〜９の何れか１項に記載の画像形成装置。
【手続補正２】
【補正対象書類名】明細書
【補正対象項目名】０００７
【補正方法】変更
【補正の内容】
【０００７】
【発明が解決しようとする課題】
本発明はこのような従来技術の問題点を解決して、熱定着装置の加熱ロールと加圧ロールに挟まれて通紙されながら熱定着される用紙Ｐへの通紙時の熱伝達が適正で均一になされ、セルフストリッピングを損なうことなく、加熱源に供給する電力を必要以上に増大させることなく、しかも仕上がり光沢度が表裏によって変わったりすることなく均一に行われ、高速定着が可能で封筒しわや画像劣化やブリスタを起こすことなく、また、画像形成中にシリコンオイル塗布を熱ロールに施すことなく扱える画像形成装置を提供することを課題目的にするものである。
【手続補正３】
【補正対象書類名】明細書
【補正対象項目名】０００８
【補正方法】変更
【補正の内容】
【０００８】
【課題を解決するための手段】
この目的は次の技術手段（１）〜（１０）項の何れか１項によって達成される。
【手続補正４】
【補正対象書類名】明細書
【補正対象項目名】０００９
【補正方法】変更
【補正の内容】
【０００９】
（１）  加熱源としてのヒータを内側に内蔵し少なくとも１層の弾性層を有する加熱部材としての加熱ロールと、ヒータを内側に設けた外部加熱ロールが表面に当接される少なくとも１層の弾性層を有する加圧部材としての加圧ロールから構成される熱定着装置を備える画像形成装置において、前記加圧ロールの弾性層の熱伝導率を前記加熱ロールの弾性層の熱伝導率よりも小さくしたことを特徴とする画像形成装置。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
（４）  基材上にトナー離型層を有する加熱部材及び加圧部材から成り、少なくとも１つの加熱源としてのヒータを内部に有する熱定着装置を備える画像形成装置において、未定着トナー像と接する前記加熱部材は芯金上に弾性層を有し弾性層上にフッ素樹脂をコーティングしたものであり、前記加圧部材は基材上に弾性層を介してもしくは介さずにフッ素樹脂チューブを被覆したものであることを特徴とする画像形成装置。
【手続補正１０】
【補正対象書類名】明細書
【補正対象項目名】００１７
【補正方法】変更
【補正の内容】
【００１７】
（５）  芯金上に弾性層を有し弾性層上にトナー離型層を有する加熱部材としての加熱ロール及び加圧部材としての加圧ロールから成り、少なくとも１つの加熱源としてのヒータを有する熱定着装置を備える画像形成装置において、前記加熱ロールは芯金上にシリコンゴムを形成した後にフッ素樹脂をコーティングしたものであり、前記加圧ロールは芯金上にシリコンゴムを、さらにシリコンゴム上にフッ素樹脂チューブを被覆したものであることを特徴とする画像形成装置。
【手続補正１１】
【補正対象書類名】明細書
【補正対象項目名】００１８
【補正方法】変更
【補正の内容】
【００１８】
（６）  前記加熱ロールと前記加圧ロールの表面歪み量がほぼ同等であることを特徴とする（５）項に記載の画像形成装置。
【手続補正１２】
【補正対象書類名】明細書
【補正対象項目名】００１９
【補正方法】変更
【補正の内容】
【００１９】
（７）  芯金上に弾性層を有し弾性層上にトナー離型層を有する加熱部材としての加熱ロールと基材上にトナー離型層を有する加圧部材としての加圧ベルトから成り、少なくとも１つの加熱源としてのヒータを有する熱定着装置を備える画像形成装置において、前記加熱ロールは芯金上にシリコンゴムを形成した後にフッ素樹脂をコーティングしたものであり、前記加圧ベルトは基材上にフッ素樹脂チューブを被覆したものであることを特徴とする画像形成装置。
【手続補正１３】
【補正対象書類名】明細書
【補正対象項目名】００２０
【補正方法】変更
【補正の内容】
【００２０】
（８）  基材上に弾性層を有し弾性層上にトナー離型層を有する加熱部材としての加熱ベルトと芯金上に弾性層を有し弾性層上にトナー離型層を有する加圧部材としての加圧ロールから成り、少なくとも１つの加熱源としてのヒータを有する熱定着装置を備える画像形成装置において、前記加熱ベルトは基材上にシリコンゴムを形成した後にフッ素樹脂をコーティングしたものであり、前記加圧ロールは芯金上にシリコンゴムをさらにシリコンゴム上にフッ素樹脂チューブを被覆したものであることを特徴とする画像形成装置。
【手続補正１４】
【補正対象書類名】明細書
【補正対象項目名】００２１
【補正方法】変更
【補正の内容】
【００２１】
（９）  ワックス入りのトナーを使用し、前記加熱ロール又は前記加熱ベルトや前記加圧ロール又は加圧ベルトへ離型剤を塗布しないことを特徴とする（５）〜（８）項の何れか１項に記載の画像形成装置。
【手続補正１５】
【補正対象書類名】明細書
【補正対象項目名】００２２
【補正方法】変更
【補正の内容】
【００２２】
（１０）  少なくとも前記加熱ロール又は加熱ベルトの表面温度を検知する温度センサは、画像形成領域の前記加熱ロール又は前記加熱ベルト表面に非接触に設けられるか画像形成領域外の前記加熱ロールまたは前記加熱ベルト表面に接触して設けられ、転写材を加熱ロール又は加熱ベルトから分離案内する部材が加熱ロール又は加熱ベルト表面に非接触に設けられていることを特徴とする（５）〜（９）項の何れか１項に記載の画像形成装置。
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００９０
【補正方法】削除
【補正の内容】